(57)【要約】【課題】従来の角隅の構造は、一般的に、出隅として扱われており、壁材を躯体に添接、固止した後に、断面山形形状の出隅材、化粧板材等を釘留め施工する構造であった。従って、釘等の係止具の取付けによる手間、美感の低下、錆及び／又は腐蝕の発生、又はこの取付け部からの雨水の浸入等の問題点を抱えている。【構成】本発明は、外角隅壁材と、内角隅壁材とで構成する建屋の角隅構造であって、外角隅壁材は、略隅角形状を呈する平板部と、折曲げ部、及び突出係止部で構成し、また内角隅壁材は、外角隅壁材と相似形を有する平板部と、係止脚、及び折曲片で構成し、外内角隅壁材の平板部で、壁材の角隅を被嵌し、内外角隅壁材への外角隅壁材の被嵌を介して、内角隅壁材の折曲片の先端部を、外角隅壁材の突出係止部の突出中間部位に係止する角隅の構造である。【選択図】図１
2008025312.tif 000002
【特許請求の範囲】
【請求項１】
外角隅壁材と、内角隅壁材とで構成する建屋の角隅構造であって、
この外角隅壁材は、略隅角形状を呈する対の平板部と、この平板部の自由端を内方に折曲げ形成した折曲げ部と、この平板部の基端側より間隔をおいて設けた突出係止部で構成し、
また前記内角隅壁材は、前記外角隅壁材の略隅角形状と相似形の略隅角形状を呈する対の平板部と、この平板部の略中心の近傍より突出した山形形状の対の係止脚と、この各係止脚の先端側にそれぞれ設けた折曲片で構成し、
前記内外角隅壁材を躯体に固止し、この内外角隅壁材の平板部に壁材を添接し、この壁材を固止した後に、該内角隅壁材の対の係止脚に、前記外角隅壁材の突出係止部を被嵌するとともに、この前記外内角隅壁材の平板部で、前記壁材の角隅を被嵌し、この内外角隅壁材への前記外内角隅壁材の被嵌を介して、該内角隅壁材の折曲片の先端部を、前記外角隅壁材の突出係止部の突出中間部位に係止する構成とした建屋の角隅の構造。
【請求項２】
請求項１に記載の建屋の角隅の構造であって、この外角隅壁材及び内角隅壁材を、出隅に使用する構成であって、この外角隅壁材の平板部が、この内角隅壁材の平板部に、覆い被さるように設けられるとともに、この外内隅壁材の平板部間に、壁材の挿入を可能とした空間が形成される構成とした建屋の角隅の構造。
【請求項３】
請求項１に記載の建屋の角隅の構造であって、この外角隅壁材及び内角隅壁材を、入隅に使用する構成であって、この外角隅壁材の平板部に、この内角隅壁材の平板部が、併設されるように設けられるとともに、この平板部間に、壁材の挿入を可能とした空間が形成される構成とした建屋の角隅の構造。
【請求項４】
請求項１に記載の建屋の角隅の構造であって、この外角隅壁材は、一枚の板材を、略中心より略直角にそれぞれ折曲げて平板部を形成した後、この各平板部の自由端をそれぞれ内側に折曲げて折曲げ部及び内側折曲げ部を形成し、この内側折曲げ部から前記平板部に添接するようにして内側平板部をそれぞれ形成し、この各内側平板部の自由端に突出係止部をそれぞれ折曲げ形成し、この各突出係止部が、前記平板部の基端側のやや折曲げ部側に位置する構成とし、この各突出係止部と、前記平板部の基端側との間に係止空間をそれぞれ形成する構成とした建屋の角隅の構造。
【請求項５】
請求項１に記載の建屋の角隅の構造であって、この内角隅壁材は、一枚の板材を、略中心より略直角にそれぞれ折曲げて平板部を形成した後、この各平板部の自由端を外側にそれぞれ折曲げて折曲げ部及び外側折曲げ部を形成し、この外側折曲げ部から前記平板部に添接するようにして外側平板部をそれぞれ形成し、この各外側平板部の自由端に係止脚をそれぞれ形成し、この各係止脚の自由端を、この各係止脚に沿うようにして折曲げて折曲片をそれぞれ形成する構成とし、前記対の係止脚を略三角形状に形成し、この各係止脚の脚部の略１／２の長さを有するように各折曲片を設ける構成とした建屋の角隅の構造。
【発明の詳細な説明】
【技術分野】
【０００１】
本発明は、建屋の角隅（出隅及び入隅）、柱の角隅、又は壁面の出張り等の角隅の構造に関する。
【背景技術】
【０００２】
従来、この角隅の構造は、一般的に、出隅として扱われており、壁材を躯体に添接、固止した後に、断面山形形状の出隅材、化粧板材等を釘留め施工する構造であった。従って、釘等の係止具の取付けによる手間、美感の低下、錆及び／又は腐蝕の発生、又はこの取付け部からの雨水の浸入等の問題点を抱えている。これらの改良と、出隅の構築の容易性と、機能の向上等を意図した発明があり、その一例を文献として説明する。
【０００３】
文献（１）は、特開平１−１４６０５６号の「乾式壁材の出隅構造」があり、出隅に両側縁にコ字状の挿入部を有する断面山形形状の化粧面部を備えた出隅材の構造が開示されており、この挿入部に乾式壁材の端部を挿入する構成であり、容易な施工と、装填後に柔軟性のある防水材の嵌合で、防水性の向上を図ることを意図する。
【０００４】
また文献（２）は、特開平８−２３２４３９号の「壁材の出隅部納め構造」があり、出隅の両端部に設けた多数の取付片を介して化粧カバーを係着する構成であり、出隅部の納めの容易化と、出隅部の突出部分を少なくすること等を意図する。
【０００５】
【特許文献１】特開平１−１４６０５６号
【特許文献２】特開平８−２３２４３９号
【発明の開示】
【発明が解決しようとする課題】
【０００６】
前記文献（１）、（２）は、従来の出隅の構造の改良として有益であるが、しかし、何れも構造が複雑であること、施工に手間を要すること等の問題点がある。
【０００７】
そして、文献（１）、（２）を個別に検討する。先ず、文献（１）では、防水材を乾式壁材の角隅空間と出隅材との間に設ける構成であり、施工の困難性と、防水材の脆化等の問題点が考えられる。また文献（２）では、出隅に位置する両壁材の凹段部の底片に、順次、多数個の取付片を、それぞれ配置する構成であり、手間を要すること、この取付片を、出隅の一定の位置に整然と配置するには、熟練と時間とを要すること等の問題点が考えられる。
【課題を解決するための手段】
【０００８】
請求項１の発明は、角隅（出隅・入隅）の角隅壁材（出隅・入隅壁材）を簡易に取付け（配置）可能とすること、殊に外角隅壁材を釘等の止め具を使用しなくても、確実かつ簡易に、例えば、内外角隅壁材に被嵌可能（外内角隅壁材を隅角に取付け可能）とすること等を意図する。そして、この請求項１の発明は、外内角隅壁材間で、壁材を挾持する構成とし、この壁材の切断部の不具合（切断跡の不具合）、差込の不具合等の各不具合を隠蔽可能とし、設計に則った施工を図ること、経験を要しない施工と、この施工の簡略化等を図ることを意図する。また請求項１の発明は、この外内角隅壁材間を、樋の機能を発揮する構成とし、雨水の浸入防止と、雨仕舞の向上、腐蝕の発生回避等を図ることを等を意図する。
【０００９】
請求項１は、外角隅壁材と、内角隅壁材とで構成する建屋の角隅構造であって、
この外角隅壁材は、略隅角形状を呈する対の平板部と、この平板部の自由端を内方に折曲げ形成した折曲げ部と、この平板部の基端側より間隔をおいて設けた突出係止部で構成し、
また前記内角隅壁材は、前記外角隅壁材の略隅角形状と相似形の略隅角形状を呈する対の平板部と、この平板部の略中心の近傍より突出した山形形状の対の係止脚と、この各係止脚の先端側にそれぞれ設けた折曲片で構成し、
前記内外角隅壁材を躯体に固止し、この内外角隅壁材の平板部に壁材を添接し、この壁材を固止した後に、該内角隅壁材の対の係止脚に、前記外角隅壁材の突出係止部を被嵌するとともに、この前記外内角隅壁材の平板部で、前記壁材の角隅を被嵌し、この内外角隅壁材への前記外内角隅壁材の被嵌を介して、該内角隅壁材の折曲片の先端部を、前記外角隅壁材の突出係止部の突出中間部位に係止する構成とした建屋の角隅の構造である。
【００１０】
請求項２の発明は、請求項１の目的を達成すること、この目的を達成するのに最適な、出隅における外内角隅壁材を提供すること等を意図する。
【００１１】
請求項２は、請求項１に記載の建屋の角隅の構造であって、この外角隅壁材及び内角隅壁材を、出隅に使用する構成であって、この外角隅壁材の平板部が、この内角隅壁材の平板部に、覆い被さるように設けられるとともに、この外内隅壁材の平板部間に、壁材の挿入を可能とした空間が形成される構成とした建屋の角隅の構造である。
【００１２】
請求項３の発明は、請求項１の目的を達成すること、この目的を達成するのに最適な、入隅における外内角隅壁材を提供すること等を意図する。
【００１３】
請求項３は、請求項１に記載の建屋の角隅の構造であって、この外角隅壁材及び内角隅壁材を、入隅に使用する構成であって、この外角隅壁材の平板部に、この内角隅壁材の平板部が、併設されるように設けられるとともに、この平板部間に、壁材の挿入を可能とした空間が形成される構成とした建屋の角隅の構造である。
【００１４】
請求項４の発明は、請求項１の目的を達成すること、この目的を達成するのに最適な、外角隅壁材を提供すること等を意図する。
【００１５】
請求項４は、請求項１に記載の建屋の角隅の構造であって、この外角隅壁材は、一枚の板材を、略中心より略直角にそれぞれ折曲げて平板部を形成した後、この各平板部の自由端をそれぞれ内側に折曲げて折曲げ部及び内側折曲げ部を形成し、この内側折曲げ部から前記平板部に添接するようにして内側平板部をそれぞれ形成し、この各内側平板部の自由端に突出係止部をそれぞれ折曲げ形成し、この各突出係止部が、前記平板部の基端側のやや折曲げ側に位置する構成とし、この各突出係止部と、前記平板部の基端側との間に係止空間をそれぞれ形成する構成とした建屋の角隅の構造である。
【００１６】
請求項５の発明は、請求項１の目的を達成すること、この目的を達成するのに最適な、内角隅壁材を提供すること等を意図する。
【００１７】
請求項５は、請求項１に記載の建屋の角隅の構造であって、この内角隅壁材は、一枚の板材を、略中心より略直角にそれぞれ折曲げて平板部を形成した後、この各平板部の自由端をそれぞれ外側に折曲げて折曲げ部及び外側折曲げ部を形成し、この外側折曲げ部から前記平板部に添接するようにして外側平板部をそれぞれ形成し、この各外側平板部の自由端に係止脚をそれぞれ形成し、この各係止脚の自由端を、この各係止脚に沿うようにして折曲げて折曲片をそれぞれ形成する構成とし、前記対の係止脚を略三角形状に形成し、この各係止脚の脚部の略１／２の長さを有するように各折曲片を設ける構成とした建屋の角隅の構造である。
【発明の効果】
【００１８】
請求項１の発明は、外角隅壁材と、内角隅壁材とで構成する建屋の角隅構造であって、
外角隅壁材は、略隅角形状を呈する対の平板部と、平板部の自由端を内方に折曲げ形成した折曲げ部と、平板部の基端側より間隔をおいて設けた突出係止部で構成し、
また内角隅壁材は、外角隅壁材の略隅角形状と相似形の略隅角形状を呈する対の平板部と、平板部の略中心の近傍より突出した山形形状の対の係止脚と、各係止脚の先端側にそれぞれ設けた折曲片で構成し、
内外角隅壁材を躯体に固止し、内外角隅壁材の平板部に壁材を添接し、壁材を固止した後に、内角隅壁材の対の係止脚に、外角隅壁材の突出係止部を被嵌するとともに、外内角隅壁材の平板部で、壁材の角隅を被嵌し、内外角隅壁材への外内角隅壁材の被嵌を介して、内角隅壁材の折曲片の先端部を、外角隅壁材の突出係止部の突出中間部位に係止する構成とした建屋の角隅の構造である。
【００１９】
従って、請求項１は、角隅（出隅・入隅）の角隅壁材（出隅・入隅壁材）を簡易に取付け（配置）可能とすること、殊に外角隅壁材を釘等の止め具を使用しなくても、確実かつ簡易に、例えば、内外角隅壁材に被嵌可能（内外角隅壁材を隅角に取付け可能）とすること等の特徴を有する。そして、この請求項１は、外内角隅壁材間で、壁材を挾持する構成とし、この壁材の切断部の不具合（切断跡の不具合）、差込の不具合等の各不具合を隠蔽可能とし、設計に則った施工が図れること、経験を要しない施工と、この施工の簡略化等が図れること等の実益を有する。また請求項１は、この外内角隅壁材間を、樋の機能を発揮する構成とし、雨水の浸入防止と、雨仕舞の向上、腐蝕の発生回避等が図れること等の特徴を有する。
【００２０】
請求項２の発明は、請求項１に記載の建屋の角隅の構造であって、外角隅壁材及び内角隅壁材を、出隅に使用する構成であって、外角隅壁材の平板部が、内角隅壁材の平板部に、覆い被さるように設けられるとともに、外内隅壁材の平板部間に、壁材の挿入を可能とした空間が形成される構成とした建屋の角隅の構造である。
【００２１】
従って、請求項２は、請求項１の目的を達成できること、この目的を達成するのに最適な、出隅における外内角隅壁材を提供できること等の特徴を有する。
【００２２】
請求項３の発明は、請求項１に記載の建屋の角隅の構造であって、外角隅壁材及び内角隅壁材を、入隅に使用する構成であって、外角隅壁材の平板部に、内角隅壁材の平板部が、併設されるように設けられるとともに、平板部間に、壁材の挿入を可能とした空間が形成される構成とした建屋の角隅の構造である。
【００２３】
従って、請求項３は、請求項１の目的を達成できること、この目的を達成するのに最適な、入隅における外内角隅壁材を提供できること等の特徴を有する。
【００２４】
請求項４の発明は、請求項１に記載の建屋の角隅の構造であって、外角隅壁材は、一枚の板材を、略中心より略直角にそれぞれ折曲げて平板部を形成した後、各平板部の自由端をそれぞれ内側に折曲げて折曲げ部及び内側折曲げ部を形成し、内側折曲げ部から平板部に添接するようにして内側平板部をそれぞれ形成し、各内側平板部の自由端に突出係止部をそれぞれ折曲げ形成し、各突出係止部が、平板部の基端側のやや折曲げ側に位置する構成とし、各突出係止部と、平板部の基端側との間に係止空間をそれぞれ形成する構成とした建屋の角隅の構造である。
【００２５】
従って、請求項４は、請求項１の目的を達成できること、この目的を達成するのに最適な、外角隅壁材を提供できること等の特徴を有する。
【００２６】
請求項５の発明は、請求項１に記載の建屋の角隅の構造であって、内角隅壁材は、一枚の板材を、略中心より略直角にそれぞれ折曲げて平板部を形成した後、各平板部の自由端をそれぞれ外側に折曲げて折曲げ部及び外側折曲げ部を形成し、外側折曲げ部から平板部に添接するようにして外側平板部をそれぞれ形成し、各外側平板部の自由端に係止脚をそれぞれ形成し、各係止脚の自由端を、各係止脚に沿うようにして折曲げて折曲片をそれぞれ形成する構成とし、対の係止脚を略三角形状に形成し、各係止脚の脚部の略１／２の長さを有するように各折曲片を設ける構成とした建屋の角隅の構造である。
【００２７】
従って、請求項５は、請求項１の目的を達成できること、この目的を達成するのに最適な、内角隅壁材を提供できること等の特徴を有する。
【発明を実施するための最良の形態】
【００２８】
以下、本発明の実施の態様（形態）を説明する。
【００２９】
先ず、図面の説明をすると、図１は出隅に使用した外内角隅壁材と、躯体に設けた壁材との連繋関係を説明した俯瞰図、図２は図１の要部の拡大図、図３は出隅に使用した外内角隅壁材の拡大平面図、図４は出隅に使用した外内角隅壁材の全体の正面図、図５は図４の分解正面図、図６は出隅に使用した外内角隅壁材の斜視図、図７は図６の内角隅壁材を移動した状態の斜視図、また図８は図１の他の連繋関係を説明した俯瞰図である。
【００３０】
また図９は入隅に使用した外内角隅壁材と、躯体に設けた壁材との連繋関係を説明した俯瞰図、図１０は図９の要部の拡大図、図１１は入隅に使用した外内角隅壁材の拡大平面図、図１２は入隅に使用した外内角隅壁材の全体の正面図、図１３は図１２の分解正面図、図１４は入隅に使用した外内角隅壁材の斜視図、図１５は図１４の内角隅壁材を移動した状態の斜視図、図１６は図９の他の連繋関係を説明した俯瞰図である。
【００３１】
［１］  図１〜図８に示した躯体Ａの出隅Ａ１に使用した外内角隅壁材を説明する。
【００３２】
図中１は外角隅壁材であって、この外角隅壁材１は、一枚の板材（図示せず）を、略中心１ａより略直角にそれぞれ折曲げて平板部２、２（対の場合には、原則として単独の符号とし、この場合は２とする）を形成し、この平板部２の各自由端２ａを内側に折曲げて折曲げ部３を形成し、この折曲げ部３の自由端３ａを折り曲げて内側折曲げ部３００を形成し、この内側折曲げ部３００から前記平板部２に添接するようにして内側平板部４をそれぞれ形成し、この各内側平板部４の自由端４ａに突出係止部５をそれぞれ折曲げ形成し、この各突出係止部５が、平板部２の基端側２ｂのやや折曲げ部３側に位置する構成である。この外角隅壁材１は、一枚の板材を、加工機を利用して成形することが可能であり、低コストで、かつ効率的に製造できるメリットがある（他の例も同じ）。
【００３３】
そして、この外角隅壁材１は、各突出係止部５と、平板部２の基端側２ｂとの間に係止空間７をそれぞれ形成する。また前述の如く、板材を加工機で、外角隅壁材１を折曲げ形成することで、強度性の向上、板材の肉薄化、材料の倹約化等に役立てる（他の例も同じ）。尚、図示しないが、突出係止部５を内側平板部４に突設して設ける構成、また平板部２及び／又は折曲げ部３を、一枚の平板で構成することも可能である（他の例も同じ）。
【００３４】
また図中１１は内角隅壁材で、この内角隅壁材１１は、一枚の板材（図示せず）を、略中心１１ａより略直角にそれぞれ折曲げて平板部１２、１２（対の場合には、原則として単独の符号とし、この場合は、１２とする）を形成した後、各平板部１２の自由端１２ａをそれぞれ外側に折曲げて折曲げ部１３及び外側折曲げ部１３００を形成し、外側折曲げ部１３００から平板部１２に添接するようにして外側平板部１４をそれぞれ形成し、各外側平板部１４の自由端１４ａに係止脚１５をそれぞれ形成し、この各係止脚１５の自由端１５ａを、各係止脚１５に沿うようにして折曲げて折曲片１６をそれぞれ形成する構成である。そして、この対の係止脚１５を略三角形状に形成し、各係止脚１５の略１／２の長さを有するように各折曲片１６を設ける構成とする。この内角隅壁材１１は、一枚の板材を、加工機を利用して成形することが可能であり、低コストで、かつ効率的に製造できるメリットがある。
【００３５】
そして、この内角隅壁材１１は、係止脚１５に折曲げ形状で、折曲片１６を設ける構成であるので、この折曲片１６に弾性を付与できることと、前記係止空間７に縮尺して進入可能とするとともに、突出係止部５との喰込み（係止）関係が確保できる。また前述の如く、板材を加工機で、内角隅壁材１１を折曲げ形成することで、強度性の向上、板材の肉薄化、材料の倹約化等に役立てる（他の例も同じ）。尚、図示しないが、係止脚１５を外側平板部１４に突設して設ける構成、また平板部１２及び／又は外側折曲げ部１３００を、一枚の平板で構成することも可能である（他の例も同じ）。
【００３６】
そして、この出隅Ａ１に使用した外内角隅壁材１、１１の取付け（固定）方法の一例を、図２〜図８を基に説明すると、内角隅壁材１１を躯体Ａに釘止め等の手段で固止し、この内角隅壁材１１の平板部１２、１２（一側で説明する）に、それぞれ壁材Ｂを添接する。そして、必要により、この壁材Ｂを、躯体Ａに釘止め等の手段で固止する。その後、この内角隅壁材１１に重畳するように外角隅壁材１を嵌合する。この嵌合で、外内角隅壁材１、１１の壁材Ｂの挿入が可能な隙間Ｈが形成される。しかして、この嵌合を介して内角隅壁材１１の係止脚１５が係止空間７内に入り込み、かつその自由端１５ａが、この外角隅壁材１の略中心１ａに衝止するとともに、折曲片１６が復帰して突出係止部５に衝止する。この折曲片１６が復帰する理由は、この外角隅壁材１を、内角隅壁材１１に嵌合する際に、この外角隅壁材１の突出係止部５で、折曲片１６を押圧して嵌合する構成による。また図示の如く、突出係止部５が折曲片１６に衝止し、この外内角隅壁材１、１１の嵌合の強化と、この外角隅壁材１の安定性の確立に役立つことが考えられる。
【００３７】
そして、この外角隅壁材１を内角隅壁材１１に嵌合することで、壁材Ｂを、外角隅壁材１の折曲げ部３と、内角隅壁材１１の折曲げ部１３で弾性的に挾持することから、この両者にガタがなく、風によるガタツキ防止と、雨水の浸入防止等に有効である。またこの嵌合関係で、外内角隅壁材１、１１が樋としての機能を発揮し、前述の如く、有益性がある。さらに外内角隅壁材１、１１は嵌合係止であり、釘止めの不具合の解消と、美観の向上に役立つ特徴がある。さらに外角隅壁材１の着脱も可能であり、重宝する。そして、この取外しは、例えばこの外角隅壁材１のスライドで自由に行え、再利用が可能である（図７参照）。
【００３８】
［１］  図９〜図１６に示した躯体Ａの入隅Ａ２に使用した外内角隅壁材を説明する。尚、寸法、隙間の差はあるが構成は基本的には出隅Ａ１の場合の外内角隅壁材と類似するので、その相違点のみ説明する。
【００３９】
この例では、この入隅Ａ２に使用した外内角隅壁材１、１１の取付け（固定）方法の一例を、図１０〜図１６を基に説明すると、外角隅壁材１を躯体Ａに釘止め等の手段で固止し、この外角隅壁材１の平板部２、２（一側で説明する）に、それぞれ壁材Ｂを添接する。そして、必要により、この壁材Ｂを、躯体Ａに釘止め等の手段で固止する。その後、この外角隅壁材１に重畳するように内角隅壁材１１を嵌合する。この嵌合を介して内角隅壁材１１の係止脚１５が係止空間７内に入り込み、かつその自由端１５ａが、この外角隅壁材１の略中心１ａに衝止するとともに、折曲片１６が復帰して突出係止部５に衝止する。尚、折曲片１６が復帰する理由は、この内角隅壁材１１を、外角隅壁材１に嵌合する際に、この内角隅壁材１１の折曲片１６が、外角隅壁材１の突出係止部５で押圧されるようにして嵌合される構成による。そして、この外角隅壁材１に内角隅壁材１１を嵌合することで、壁材Ｂを、外角隅壁材１の折曲げ部３と、内角隅壁材１１の折曲げ部１３で弾性的に挾持することから、この両者にガタがなく、風によるガタツキ防止と、雨水の浸入防止等に有効である。またこの嵌合関係で、外内角隅壁材１、１１が樋としての機能を発揮し、前述の如く、有益性がある。さらに外内角隅壁材１、１１は嵌合係止であり、釘止めの不具合の解消と、美観の向上に役立つ特徴がある。さらに外角隅壁材１の着脱も可能であり、重宝する。そして、この取外しは、例えばこの外角隅壁材１のスライドで自由に行え、再利用が可能である（図１５参照）。
【００４０】
また、本発明は出隅・入隅兼用として使用できる構成であり、作業性の向上、低コスト化、省設備化等に役立つ特徴がある。尚、外角隅壁材及び内角隅壁材等の内側・外側は、説明における理解を容易にするための名称であり、内側と外側は建物の内外に関係しないことを念のために付言する。
【図面の簡単な説明】
【００４１】
【図１】図１は出隅に使用した外内角隅壁材と、躯体に設けた壁材との連繋関係を説明した俯瞰図
【図２】図２は図１の要部の拡大図
【図３】図３は出隅に使用した外内角隅壁材の拡大平面図
【図４】図４は出隅に使用した外内角隅壁材の全体の正面図
【図５】図５は図４の分解正面図
【図６】図６は出隅に使用した外内角隅壁材の斜視図
【図７】図７は図６の内角隅壁材を移動した状態の斜視図
【図８】図８は図１の他の連繋関係を説明した俯瞰図
【図９】図９は入隅に使用した外内角隅壁材と、躯体に設けた壁材との連繋関係を説明した俯瞰図
【図１０】図１０は図９の要部の拡大図
【図１１】図１１は入隅に使用した外内角隅壁材の拡大平面図
【図１２】図１２は入隅に使用した外内角隅壁材の全体の正面図
【図１３】図１３は図１２の分解正面図
【図１４】図１４は入隅に使用した外内角隅壁材の斜視図
【図１５】図１５は図１４の内角隅壁材を移動した状態の斜視図
【図１６】図１６は図９の他の連繋関係を説明した俯瞰図
【符号の説明】
【００４２】
１              外角隅壁材
１ａ            略中心
２              平板部
２ａ            自由端
２ｂ            基端側
３              折曲げ部
３ａ            自由端
３００          内側折曲げ部
４              内側平板部
４ａ            自由端
５              突出係止部
７              係止空間
１１            内角隅壁材
１１ａ          略中心
１２            平板部
１２ａ          自由端
１３            折曲げ部
１３００        外側折曲げ部
１４            外側平板部
１４ａ          自由端
１５            係止脚
１５ａ          自由端
１６            折曲片
Ａ              躯体
Ａ１            出隅
Ａ２            入隅
Ｂ              壁材
Ｈ              隙間
【図１】
2008025312.tif 000003
【図２】
2008025312.tif 000004
【図３】
2008025312.tif 000005
【図４】
2008025312.tif 000006
【図５】
2008025312.tif 000007
【図６】
2008025312.tif 000008
【図７】
2008025312.tif 000009
【図８】
2008025312.tif 000010
【図９】
2008025312.tif 000011
【図１０】
2008025312.tif 000012
【図１１】
2008025312.tif 000013
【図１２】
2008025312.tif 000014
【図１３】
2008025312.tif 000015
【図１４】
2008025312.tif 000016
【図１５】
2008025312.tif 000017
【図１６】
2008025312.tif 000018